(57)【要約】      （修正有）【課題】流体圧力袋による履物の足指衝撃緩和装置を提供する。【解決手段】足裏指の第１指から足裏第３指の各指が踏む部分に密閉された流体の圧力袋の広い流体部５を設け、広い流体部５を踏みつけ、圧力袋の流体は足表指の狭い容積の圧力袋の方に移動して狭い流体部５ａ、５ｂ、５ｃに伸びる足裏第４指から足裏第５指を迂回し、足表の各足指をリング状の圧力袋で包み、足表と足裏の各足の指は靴９の中に面接触で浮いている状態となした。【選択図】図１
0003222702.tif 000002
【実用新案登録請求の範囲】
【請求項１】
足裏指の第１指から足裏第３指の各指が踏む部分に密閉された流体の圧力袋（２）の広い流体部（５）を設け、広い流体部（５）を踏みつけ、圧力袋（２）の流体は足表指の狭い容積の圧力袋（２）の方に移動して狭い流体部（５a）（５b）（５c）に伸びる足裏第４指から足裏第５指を迂回し、足表の各足指をリング状の圧力袋（２）で包み、足表と足裏の各足の指は靴（９）の中に面接触で浮いている状態となしたことを特徴とする流体圧力袋による履物の足指衝撃緩和装置。
【請求項２】
流体の圧力袋（２）に狭い流体部踏付け（５e）を設けることで靴（９）の内部に靴爪先上部（１０）に沿って流体の圧力袋（２）の狭い流体部（５a）（５b）（５c）は最大限のリング状帯が得られ、靴（９）と足（１）が一体になるフリーサイズリング構造を施したことを特徴とする請求項１に記載の流体圧力袋による履物の足指衝撃緩和装置。
【請求項３】
流体の圧力袋（２）の足裏第１指付け根にシリコン球（４）を配置し、爪先に体重が移動するとシリコン球（４）で足裏第１指と第２指が広がるようになし、足指が地面を引掻く、掴む動きを生じさせる請求項１及び請求項２に記載の流体圧力袋による履物の足指衝撃緩和装置。
【考案の詳細な説明】
【技術分野】
【０００１】
本考案は、履物の中で流体の帯が足表、足裏の各足指を包む輪の様にリング状に設け、足指を包む流体の移動及び圧力で足裏指下のクッションが履物に面接触するものである。
【背景技術】
【０００２】
オーダーメイドのシューズは足の一体感は得られるが高価すぎる。
一般規格品の履物に十人十色の足の形および足の骨格を合わせるのは困難で我慢をして履いている為、足裏が履物との摩擦によって足裏に魚の目やタコができる等の問題があった。
【先行技術文献】
【特許文献】
【０００３】
【特許文献１】特開２００１−３０９８０１号
【特許文献２】特開２００４−１８１１１３号
【考案の概要】
【考案が解決しようとする課題】
【０００４】
中敷の足指第１指〜５指の先端部を傾斜状にし、且つ、足指上方に移動可能なゲル状物質が挿入されている特徴とする履物、足指側靴底に空気流通による蒸れ防止機能が設けられたもので、上記のゲル状物質の挿入は圧力袋でない又、空気の流通も蒸れ防止の循環的要素なので問題がない。
【課題を解決するための手段】
【０００５】
足裏指の第１指から足裏第３指の指が踏む部分に密閉された流体の圧力袋（２）の広い流体部（５）を体重の移動で踏みつけると圧力袋（２）の流体は狭い容積の圧力袋（２）の方に移動して足裏第４指から足裏第５指を迂回して足表第５指の横を圧力袋（２）の狭い流体部始め（５a）足表第３指辺りを狭い流体部中間（５b）足表第１指横を狭い流体部終わり（５c）に流体の移動と圧力が生じる、広い流体部（５）に足裏第１指，２指，３指の圧力で流体は狭い流体部（５a）（５b）（５c）に移動してリング状に圧力でバランス保つ為、足表と足裏の各足の指は靴（９）の中に面接触で浮いている状態をなしたことを特徴とする流体圧力袋による履物の足指衝撃緩和置。
【考案の効果】
【０００６】
上述の様に、履物の中で足（１）の流体の圧力袋（２）の帯に包まれて、体重移動が流体の帯を足裏の各足の指が引っ掻く・掴む動作を促す、流体の容積比率で狭い帯の中を移動して靴爪先上部（１０）に膨れる圧力で足表の各足指を押さえるように働く圧力バランスで流体帯の圧力袋（２）で足表と足裏の各足の指は靴（９）の中に面接触で浮いている為、各足指の衝撃・摩擦を緩和することで足指に魚の目やタコ・マメができる等の問題点を解決出来る。
【図面の簡単な説明】
【０００７】
【図１】靴（９ａ）に合成インソール（７）を取り付ける図である。
【図２】靴内の取り付け状態を示す左足の側断面図である。
【図３】圧力袋（２）を左足が踏んだイメージ図である。
【図４】インソール（７）の圧力袋（２）取り付け図である
【図５】内臓靴（９ａ）のＡ-Ａ断面図である。
【考案を実施するための形態】
【０００８】
足指は、表指（足の甲側の指部）および裏指（足の裏側の指部）で、5本の指は、足指第１指（足の親指）、足指第２指（足の人差し指）、足指第３指（足の中指）、足指第４指（足の薬指）、足指第５指（足の小指）である。
【０００９】
日本の文化で着物の時,弓道等…足袋で  素足で行う術も相撲,空手,柔道,剣道,拳法等…足指で地面を引掻き、踏ん張り、爪先をバネに前に飛び出す等素足の時は、素直に動ける…一番健康的かもしれません。素足での履物は、ぞうり・下駄等の様に鼻緒がある履物で、鼻緒を足の指で挟み下駄を持ち上げて足を一歩前に出し着地で各足指を伸ばす動きが自然に行われます。
【００１０】
一般的な靴選びは規格品から靴の長さ・幅・足の甲の高さで選ぶので何か我慢して履いているのが殆どではないだろうか。オーダーメイドの履物は靴と足の一体感は高いが価格も高い。一般的な規格品の靴に本考案の合成インソール（７）を装着することで、足指が前に滑らないで素足の時みたいに靴（９）の中で足指が床を引っ掻く・床を指が掴む様な動きが歩くことで自然に生まれ、足指が履物に面接触なのでステップショックの少ない足にやさしいマイシューズに変身する。合成インソール（７）を装着するだけで簡単に安心・安全・快適な動きが流体圧力袋による履物の足指衝撃緩和装置を履物に取付けることで得られる。
【実施例】
【００１１】
インソールに足裏の第１指の付け根の位置と足裏第５指の付け根の位置のラインを描いて足裏第１指と第３指が広い流体部（５）のエリアを踏むことで圧力袋（２）の広い容積でクッション緩和されると共に足裏第５指から流体は狭い流体部（５ａ）（５ｂ）（５ｃ）へと流体は足表の爪先に移動するように広い流体部（５）を広く考え、次に合成インソール（７）の足裏第５指横から狭い流体部始まり（５ａ）と靴（９）の摩擦を無くすと共に足裏第５指を守る幅で足表第４指から第３指へ狭い流体部中間（５ｂ）は足表指を回り狭い流体部終わり（５ｃ）が足表第１指横に向けての帯のラインを確定する為に狭い流体部踏付け（５ｅ）を合成インソール（７）裏面で足裏第１指の下側で踏む様にすることで足幅が人により変わるが、その問題も解決出来るフリーサイズリングの足指の輪を考え試作開始した。
【００１２】
（構成）
上記課題を解決する為の本発明の構成は図４の圧力袋（２）は今回、真空用厚手のフィルムを使用した。シリコン球（４）にシリコン球を２個入れ真空用厚手フィルムの各接着部（３）を熱接し、注入部（２ａ）より今回流体として空気を注入して流体注入部（２ａ）を最後に接着部（３）を熱接した。今回はシリコン球（４）にシリコン球２個入れ足裏第１指付根ポイントに配置したが、シリコン球（４）にコットン球１個を足裏第１指付根に使用する場合もある。
【００１３】
前記は圧力袋（２）左足用を製作したもので、右足用として同様に製作する。
【００１４】
前記の圧力袋（２）左側を流体部下インソール（７ａ）左足用に図４のシリコン球（４）が足裏第1指付根ポイントに球が縦に２個配置され、尚且つ、足裏第５指の横を狭い流体部始まり（５ａ）が通るように取付部（６）をホッチキスで３ヶ所取付して図３の流体下部インソール（７ａ）左足用に左足（１）を乗せて図３のイメージを確認する。
【００１５】
上記と同様にて流体部下インソール（７ａ）右足用に圧力袋（２）右足用（左足用の勝手違いにして）を製作する。前記流体部下インソール（７ａ）左右用に圧力袋（２）左右足用が取付られた上に流体部上インソール（７ｂ）左右用を接着材（８）にて接着、これで合成インソール（７）左右の完成です。
【００１６】
履物に狭い流体部踏付け（５e）を合成インソール（７）の裏側に持って合成インソール（７）を図1のように靴（９）に挿入する、左右用を図５の狭い流体部（５ａ）（５ｂ）（５ｃ）が内臓靴（９ａ）内部に靴爪先上部（１０）に最大に沿って広げ、足（１）が合成インソール（７）左右用の流体部上インソール（７ｂ）の上、且つ、狭い流体部（５ａ）（５ｂ）（５ｃ）の間に足（１）の各足指が入るように履物に装着します。
【００１７】
（効果）
前記の内臓靴（９ａ） に足（１）が装着されて（以下  本発明装着という）請求項１，２，３の発明について効果を説明します。
【００１８】
本発明装着で椅子に座って内臓靴（９ａ）の両爪先が浮いている時、両足（１）の各足指は合成インソール（７）の上で密閉された空気の圧力袋（２）に浮いるので、両足（１）の各足指が上下にぶらぶらと自由に各指先が掴んだり、伸ばしたり楽にできる。
【００１９】
本発明装着で椅子から垂直に立ち上がった時、内臓靴（９ａ）の両足の踵と爪先部の体重の動きで広い流体部（５）の広い容積から空気が狭い流体部（５ａ）（５ｂ）に空気は移動して足表と足裏の各足指は、圧力袋（２）の圧力により合成インソール（７）左右用に面接触している。
【００２０】
本発明装着で両足（１）にて立ち前に重心を移すと体重が爪先に移って広い流体部（５）の広い容積から空気は狭い流体部（５ａ）（５ｂ）（５ｃ）に移動するが、圧力袋（２）の容積の空気の圧力で足表指と足裏指はバランスを保ち足裏指下は合成インソール（７）左右用に面接触を保つことが出来る。
【００２１】
本発明装着で歩く時、右足（１）を上げて前に右足（１）を一歩出す動作にて、左足（１）の踵は浮き上がり左足（１）の爪先に重心は移動します、この時シリコン球（４）が足裏第１指付根ポイントの両側を足第１指と第２指は広がる動作をすることで、内臓靴（９ａ）左足の中で地面を引っ掻く動きと成る、続いて左足（１）の足裏指第３〜５指も指で地面を引っ掻く・掴む動きを成すので合成インソール（７）左足用の左足（１）の各足裏指が圧力袋（２）の空気を掴み、狭い流体部踏付け（５ｅ）で閉ざされている為、狭い流体部（５ａ）（５ｂ）（５ｃ）の圧力は最大限に成ることにより前記の左足（１）各指は、縮んでいる状態から各足表指は圧力で押さえられ伸びる作用が生じ、左足（１）の爪先は地面を蹴る方向に作用するので右足（１）は、おのずから着地する。
【００２２】
右足（１）の着地に於いても（※１）合成インソール（７）右足用の爪先部は、右足（１）の狭い流体部（５ａ）（５ｂ）（５ｃ）よりも広い流体部（５）の広い面積の空気が多い為、右足（１）各足裏指のステップショックは軽減される。一連の動作が連続的に左足・右足に於いて行われる。
※１  発明者の個人的な感覚かも知れませんが、本発明未装着時は、右足（１）の踵着地で一呼吸後に爪先の着地のイメージですが、装着後は踵が一瞬しか着地してない様な感じです。
【００２３】
前記による左右交互の一連のサイクルが早く行われるので、姿勢が良く歩くのが早く成ったと感じられます。
【００２４】
前記による一連の動作が走る時もサイクルが早く行われるので、走るのも早く成ったと感じます。
【００２５】
前記による動作が歩く・走る動作を行っても爪先部にステップショックが緩和され、開張足と言われている足指第１指から第５指のアーチが浅い人でも外的刺激が少ない為、魚の目やタコ・マメの防止効果が得られる。
【００２６】
前記による動作そのものが足指で床を掴むようにして前進しているので血行が良く、疲労軽減と疲労回復につながる。
【００２７】
前記の動作により血液のみならずリンパ液の流れも整い、各足指の運動が第二の心臓と言われている脹脛に作用し、血管の弁の動きが整い下肢静脈瘤の防止にもつながると判断される。
【００２８】
前記の動作で各足表指と足裏指を足指輪の圧力リングにより保持しているので、躓いても爪先を履物内部にぶつけることが少なく足と履物の一体感が得られるので安定・安全な履物が一般規格品でマイシューズ感が得られるものである。
【符号の説明】
【００２９】
１     足
２     圧力袋
２ａ   流体注入部
３     接着部
４     シリコン球
５     広い流体部
５ａ   狭い流体部始め
５ｂ   狭い流体部中間
５ｃ   狭い流体部終わり
５ｅ   狭い流体部踏付け
６     取付部
７     合成インソール
７ａ   流体部下インソール      （左足用）
７ｂ   流体部上インソール      （左足用）
８     接着材
９     靴
９ａ   内臓靴  
１０     靴爪先上部
【図１】
0003222702.tif 000003
【図２】
0003222702.tif 000004
【図３】
0003222702.tif 000005
【図４】
0003222702.tif 000006
【図５】
0003222702.tif 000007
【手続補正書】
【提出日】令和1年6月24日(2019.6.24)
【手続補正１】
【補正対象書類名】実用新案登録請求の範囲
【補正対象項目名】全文
【補正方法】変更
【補正の内容】
【実用新案登録請求の範囲】
【請求項１】
足裏指の第１指から足裏第３指の各指が踏む部分に密閉された流体の圧力袋（２）の広い流体部（５）を設け、広い流体部（５）を踏みつけ、圧力袋（２）の流体は足表指の狭い容積の圧力袋（２）の方に移動して狭い流体部（５a）（５b）（５c）に伸びる足裏第４指から足裏第５指を迂回し、足表の各足指をリング状の圧力袋（２）で包み、足表と足裏の各足の指は靴（９）の中に面接触で浮いている状態となしたことを特徴とする流体圧力袋による履物の足指衝撃緩和装置。
【請求項２】
流体の圧力袋（２）に狭い流体部踏付け（５e）を足裏第１指の下側で踏む様に構成し、靴（９）と足（１）が一体になるフリーサイズリング構造を施したことを特徴とする請求項１に記載の流体圧力袋による履物の足指衝撃緩和装置。
【請求項３】
流体の圧力袋（２）の足裏第１指付け根にシリコン球（４）を配置し、爪先に体重が移動するとシリコン球（４）で足裏第１指と第２指が広がるようになし、足指が地面を引掻く、掴む動きを生じさせる請求項１又は請求項２に記載の流体圧力袋による履物の足指衝撃緩和装置。